(57)【要約】【課題】  ユーザが誤って印刷のキャンセルを行った場合に、出力済みのページを確認して再印刷を行うなどの煩わしさがあった。そこで、本発明は、キャンセル済みの印刷ジョブを、無駄なく効率的に再印刷できる事を目的とする。【解決手段】  情報処理装置から印刷ジョブを受信可能な印刷制御装置において、印刷ジョブの処理中止を行う印刷処理中止手段と、印刷済みページと印刷ジョブを記憶する記憶手段と、中止した印刷ジョブを選択する選択手段と、選択された印刷ジョブを再印刷する手段を備えたことを特徴とする。【選択図】  図２
2006350803.tif 000002
【特許請求の範囲】
【請求項１】
通信媒体を介して情報処理装置から印刷情報を受信可能な印刷制御装置において、前記印刷情報をページ単位にデータ処理して印刷部から出力可能な出力データを生成する処理手段と、
前記処理手段による前記印刷情報の処理中止を行う印刷処理中止手段と、
前記印刷処理中止手段が印刷中止を行う場合に、前記印刷情報から取得される識別情報および印刷情報を記憶する記憶手段と、
前記記憶手段に記憶されている前記印刷情報の処理中止を行った印刷処理を、前記識別情報に基づいて選択する選択手段と、
前記選択手段によって選択された前記印刷情報の処理中止を行った印刷処理を、前記記憶手段に記憶された前記印刷情報に基づいて前記処理手段がデータ処理すべき印刷情報の処理を行う再処理手段とを備えたことを特徴とする印刷制御装置。
【請求項２】
前記印刷制御装置において前記印刷処理中止手段が印刷中止を行う場合に、
前記処理手段が既にデータ処理したページ情報を記憶する記憶手段と、
前記選択手段によって選択された前記印刷情報の処理中止を行った印刷処理を、前記記憶手段に記憶された前記印刷情報および前記既にデータ処理したページ情報に基づいて前記処理手段がデータ処理すべき印刷情報のデータ処理開始ページを制御し、前記印刷部から未出力ページの出力データの処理を行う再処理手段とを備えたことを特徴とする請求項１に記載の印刷制御装置。
【請求項３】
前記選択手段において、選択可能なユーザは前記印刷情報に基づいて選択を可能とするアクセス制限手段を備えたことを特徴とする請求項１または請求項２記載の印刷制御装置。
【請求項４】
前記再処理手段において、再処理可能なユーザは前記印刷情報に基づいて再処理を可能とするアクセス制限手段を備えたことを特徴とする請求項１または請求項２記載の印刷制御装置。
【請求項５】
通信媒体を介して情報処理装置から印刷情報を受信可能な印刷制御装置において、前記印刷情報をページ単位にデータ処理して印刷部から出力可能な出力データを生成する処理手段と、
前記処理手段による前記印刷情報の処理中止を行う印刷処理中止手段と、
前記印刷処理中止手段が印刷中止を行う場合に、前記印刷情報から取得される識別情報および印刷情報を記憶する記憶手段と、
前記記憶手段に記憶されている前記印刷情報の処理中止を行った印刷処理を、前記識別情報に基づいて選択する選択手段と、
前記選択手段によって選択された前記印刷情報の処理中止を行った印刷処理を、前記記憶手段に記憶された前記印刷情報に基づいて前記処理手段がデータ処理すべき印刷情報の処理を行う再処理手段とを備えたことを特徴とする印刷制御システム。
【請求項６】
前記印刷制御システムにおいて前記印刷処理中止手段が印刷中止を行う場合に、
前記処理手段が既にデータ処理したページ情報を記憶する記憶手段と、
前記選択手段によって選択された前記印刷情報の処理中止を行った印刷処理を、前記記憶手段に記憶された前記印刷情報および前記既にデータ処理したページ情報に基づいて前記処理手段がデータ処理すべき印刷情報のデータ処理開始ページを制御し、前記印刷部から未出力ページの出力データの処理を行う再処理手段とを備えたことを特徴とする請求項５に記載の印刷制御システム。
【請求項７】
前記選択手段において、選択可能なユーザは前記印刷情報に基づいて選択を可能とするアクセス制限手段を備えたことを特徴とする請求項5または請求項６記載の印刷制御システム。
【請求項８】
前記再処理手段において、再処理可能なユーザは前記印刷情報に基づいて再処理を可能とするアクセス制限手段を備えたことを特徴とする請求項５または請求項６記載の印刷制御システム。
【発明の詳細な説明】
【技術分野】
【０００１】
本発明は、印刷制御装置において印刷処理の中止を行った場合、印刷処理の中止後に再処理を行う、印刷制御装置、印刷制御システム、プログラムおよび記憶媒体に関する。
【背景技術】
【０００２】
この種の印刷制御装置として、単に印刷ジョブのキャンセルを行う印刷制御装置が示されている。
【０００３】
又、従来例としては、例えば特許文献１をあげることが出来る。
【特許文献１】特開平11-154071号公報
【発明の開示】
【発明が解決しようとする課題】
【０００４】
しかしながら、上記従来の印刷システムでは、ユーザが誤って印刷のキャンセルを行った場合に、キャンセルをしてしまった印刷ジョブの再処理を行うためには、ユーザが誤ってキャンセルしてしまった印刷ジョブの再印刷処理を行わなければならない。
【０００５】
また、キャンセルした印刷ジョブが既に一部の印刷を行っている場合は、既に印刷済みのページを再印刷したくない場合は、ユーザが出力済みのページを確認して、出力が行われていないページから再印刷を行う煩わしさがあった。
【０００６】
そこで、本発明は、キャンセル済みの印刷ジョブを、容易に再印刷できる印刷制御装置、印刷制御システム、プログラムおよび記憶媒体を提供することを目的とする。
【課題を解決するための手段】
【０００７】
上記目的を達成するために、本発明の印刷制御装置、印刷制御システムは、通信媒体を介して情報処理装置から印刷情報を受信可能な印刷制御装置において、前記印刷情報をページ単位にデータ処理して印刷部から出力可能な出力データを生成する処理手段と、前記処理手段による前記印刷情報の処理中止を行う印刷処理中止手段と、前記印刷処理中止手段が印刷中止を行う場合に、前記印刷情報から取得される識別情報および印刷情報を記憶する記憶手段と、前記記憶手段に記憶されている前記印刷情報の処理中止を行った印刷処理を、前記識別情報に基づいて選択する選択手段と、前記選択手段によって選択された前記印刷情報の処理中止を行った印刷処理を、前記記憶手段に記憶された前記印刷情報に基づいて前記処理手段がデータ処理すべき印刷情報の処理を行う再処理手段とを備えたことを特徴とする。
【０００８】
また、前記印刷制御装置において前記印刷処理中止手段が印刷中止を行う場合に、
前記処理手段が既にデータ処理したページ情報を記憶する記憶手段と、
前記選択手段によって選択された前記印刷情報の処理中止を行った印刷処理を、前記記憶手段に記憶された前記印刷情報および前記既にデータ処理したページ情報に基づいて前記処理手段がデータ処理すべき印刷情報のデータ処理開始ページを制御し、前記印刷部から未出力ページの出力データの処理を行う再処理手段とを備えたことを特徴とする。
【０００９】
また、前記選択手段において、選択可能なユーザは前記印刷情報に基づいて選択を可能とするアクセス制限手段を備えたことを特徴とする。
【００１０】
また、前記再処理手段において、再処理可能なユーザは前記印刷情報に基づいて再処理を可能とするアクセス制限手段を備えたことを特徴とする。
【発明の効果】
【００１１】
本発明によれば、ユーザが誤ってキャンセルしてしまった場合などの、キャンセルジョブを容易に再印刷を行う事が可能である。さらに、キャンセルまでに既に印刷を行ったページの続きから印刷を行う事が可能である。さらに、キャンセルジョブリストの取得権限のないユーザに、キャンセルジョブリストの取得を行わせないことが可能である。さらに、キャンセルジョブの印刷権限のないユーザに、キャンセルジョブの印刷を行わせないことが可能である。
【発明を実施するための最良の形態】
【００１２】
以下に本発明の実施形態を複数の実施例に基づき、それぞれ図面を参照して詳細に説明する。
【００１３】
［第１の実施の形態］
本実施例は、請求項１、２の一部の実施例を説明する。
【００１４】
先ず、第１の実施形態に係るキャンセルジョブの再印刷方法についての構成を図１のブロック図を参照して説明する。尚、本発明の機能が実行されるのであれば、単体の機器であっても、複数の機器からなるシステムであっても、パラレルポートの接続がなされていても、シリアルポートの接続がなされていても、ＬＡＮ（Local Area Network：ローカルエリアネットワーク）、ＷＡＮ（Wide Area Network：広域ネットワーク）等のネットワークを介して接続がなされ処理が行われるシステムであっても、本発明を適用できることは言うまでもない。また、第１の実施形態で説明する情報処理装置はホストコンピュータであり、通信機器はプリンタである。
【００１５】
第１の実施形態に係るキャンセルジョブの再印刷方法は、ホストコンピュータ３０００とプリンタ１５００とから構成されている。ホストコンピュータ３０００は、ＣＰＵ１とＲＡＭ２と、ＲＯＭ３とキーボードコントローラ（ＫＢＣ）５と、ＣＲＴコントローラ（ＣＲＴＣ）６とディスクコントローラ（ＤＫＣ）７と、プリンタコントローラ（ＰＲＴＣ）８と、キーボード（ＫＢ）９と、ＣＲＴディスプレイ（ＣＲＴ）１０と、外部メモリ１１とを備えている。
【００１６】
先ず、ホストコンピュータ３０００各部の構成を詳述すると、ＣＰＵ１はシステムバスに接続された各デバイスを統括的に制御する中央処理装置であり、ＲＯＭ３のプログラム用ＲＯＭ３ｂ（後述）或いは外部メモリ１１に記憶された文書処理プログラム等に基づいて、図形、イメージ、文字、表（表計算等を含む）等が混在した文書処理を実行する。また、ＣＰＵ１は、例えばＲＡＭ２上に設定された表示情報ＲＡＭへのアウトラインフォントの展開（ラスタライズ）処理を実行し、ＣＲＴディスプレイ１０上でのＷＳＹＩＷＹＧ（What You See Is What You Get：ＣＲＴディスプレイ画面上に見えているそのままの大きさや形で印刷できる機能）を可能としている。
【００１７】
更に、ＣＰＵ１はＣＲＴディスプレイ１０上のマウスカーソル（図示略）等で指示されたコマンドに基づいて登録された種々のウインドウを開き、種々のデータ処理を実行する。ＲＡＭ２はＣＰＵ１の主メモリ、ワークエリア等として機能する。ＲＯＭ３はフォント用ＲＯＭ３ａと、プログラム用ＲＯＭ３ｂと、データ用ＲＯＭ３ｃとを備えている。フォント用ＲＯＭ３ａ或いは外部メモリ１１は、上記文書処理の際に使用するフォントデータなどを記憶する。プログラム用ＲＯＭ３ｂ或いは外部メモリ１１は、ＣＰＵ１の制御プログラムであるオペレーティングシステム（以下、ＯＳ）等を記憶する。データ用ＲＯＭ３ｃ或いは外部メモリ１１は、上記文書処理等を行う際に使用する各種データを記憶する。
【００１８】
キーボードコントローラ（ＫＢＣ）５は、キーボード９やポインティングデバイス（図示略）からのキー入力を制御する。ＣＲＴコントローラ（ＣＲＴＣ）６は、ＣＲＴディスプレイ（ＣＲＴ）１０の表示を制御する。ディスクコントローラ（ＤＫＣ）７は、外部メモリ１１とのアクセスを制御する。プリンタコントローラ（ＰＲＴＣ）８は、双方向性インタフェース２１を介してプリンタ１５００に接続されて、プリンタ１５００との通信制御処理を実行する。キーボード９は、各種キーを備えている。
【００１９】
ＣＲＴディスプレイ（ＣＲＴ）１０は、図形，イメージ文字，表等を表示する。外部メモリ１１はハードディスク（ＨＤ），フロッピー（登録商標）ディスク（ＦＤ）等から構成されており、ブートプログラム，各種のアプリケーション，フォントデータ，ユーザファイル，編集ファイル，プリンタ制御コマンド生成プログラム（以下、プリンタドライバ）等を記憶する。
【００２０】
上述したＣＰＵ１，ＲＡＭ２，ＲＯＭ３，キーボードコントローラ（ＫＢＣ）５，ＣＲＴコントローラ（ＣＲＴＣ）６，ディスクコントローラ（ＤＫＣ）７，プリンタコントローラ（ＰＲＴＣ）８は、コンピュータ制御ユニット２０００上に配設されている。
【００２１】
次に、プリンタ１５００各部の構成を詳述すると、ＣＰＵ１２は、システムバス１５に接続された各デバイスを統括的に制脚する中央処理装置であり、ＲＯＭ１３のプログラム用ＲＯＭ１３ｂ（後述）に記憶された制御プログラム等或いは外部メモリ１４に記憶された制御プログラム等に基づいて印刷部（プリンタエンジン）１７に出力情報としての画像信号を出力する。また、ＣＰＵ１２は、入力部１８を介してホストコンピュータ３０００との通信処理が可能となっており、プリンタ１５００内の情報等をホストコンピュータ３０００に通知できる構成となっている。
【００２２】
ＲＡＭ１９は、ＣＰＵ１２の主メモリや、ワークエリア等として機能し、増設ポートに接続されるオプションＲＡＭ（図示略）によりメモリ容量を拡張することができるように構成されている。尚、ＲＡＭ１９は、出力情報展開領域、環境データ格納領域、ＮＶＲＡＭ等に用いられる。ＲＯＭ１３は、フォント用ＲＯＭ１３ａと、プログラム用ＲＯＭ１３ｂと、データ用ＲＯＭ１３ｃとを備えている。フォント用ＲＯＭ１３ａは、上記出力情報を生成する際に使用するフォントデータなどを記憶する。プログラム用ＲＯＭ１３ｂは、ＣＰＵ１２の制御プログラム等を記憶する。データ用ＲＯＭ１３ｃは、プリンタ１５００にハードディスク等の外部メモリ１４が接続されていない場合には、ホストコンピュータ３０００上で利用される情報等を記憶する。
【００２３】
入力部１８は、双方向性インタフェース２１を介してプリンタ１５００とホストコンピュータ３０００との間におけるデータの送受を行う。印刷部インタフェース（Ｉ／Ｆ）１６は、ＣＰＵ１２と印刷部１７との間におけるデータの送受を行う。メモリコントローラ（ＭＣ）２０は、外部メモリ１４のアクセスを制御する。印刷部１７は、ＣＰＵ１２の制御に基づき印刷動作を行う。操作部１５０１は、各種操作のためのスイッチや表示手段（例えばＬＥＤ表示器）等を備えている。
【００２４】
外部メモリ１４は、ハードディスク（ＨＤ）、ＩＣカード等から構成されており、プリンタ１５００にオプションとして接続される。外部メモリ１４は、フォントデータ、エミュレーションプログラム、フォームデータ等を記憶するものであり、メモリコントローラ（ＭＣ）２０によりアクセスを制御される。尚、外部メモリ１４は、１個に限らず、複数個備えることが可能となっている。即ち、内蔵フォントに加えてオプションカード、言語系の異なるプリンタ制御言語を解釈するプログラムを格納した外部メモリを複数接続できるように構成されていてもよい。更に、ＮＶＲＡＭ（図示略）を有し、操作部１５０１からのプリンタモード設定情報を記憶するようにしてもよい。
【００２５】
上述したＣＰＵ１２，ＲＡＭ１９，ＲＯＭ１３，入力部１８，印刷部インタフェース（Ｉ／Ｆ）１６，メモリコントローラ（ＭＣ）２０は、プリンタ制御ユニット１０００上に配設されている。
【００２６】
図２は、プリンタ等の印刷制御装置2500が直接接続されているか、あるいはネットワーク経由で接続されているホストコンピュータ2000における典型的な印刷処理の構成を示すブロック図である。図２において、キャンセルジョブ表示部２００、キャンセルジョブ選択部２０１は、上記図１の外部メモリ１１に保存されたファイルとして存在し、実行される場合にＯＳやそのモジュールを利用するモジュールによってＲＡＭ２にロードされ実行されるプログラムモジュールである。
【００２７】
また、印刷処理制御部２０５、印刷キャンセル・再印刷制御部２０６、キャンセル済み印刷処理データ２０６は、上記図１のプリンタ1500で実行される場合にＯＳやそのモジュールを利用するモジュールによってＲＡＭ１９にロードされ実行されるプログラムモジュールまたはデータである。
【００２８】
図２は実施の形態における印刷制御装置およびそのモジュールとしての印刷制御装置の構成、ホストコンピュータおよびそのモジュールとしてのホストコンピュータの構成を示すブロック図である。図において、２０００はホストコンピュータ（端末）であり、印字データおよび制御コードからなる印刷情報を印刷制御装置（プリンタ装置）２５００に送信する。ホストコンピュータ（端末）２０００は、印刷制御装置（プリンタ装置）２５００と双方向通信を行い、印刷処理、印刷中止処理および再印刷処理を行う。
【００２９】
キャンセルジョブ制御部２００は、印刷制御装置（プリンタ装置）２５００の印刷ジョブをキャンセルするための制御を行う。キャンセルジョブ表示部２０１は、印刷制御装置（プリンタ装置）２５００でキャンセルされた印刷ジョブの一覧を表示する。キャンセルジョブ選択部２０２は、キャンセルジョブ表示部２０１で表示された印刷ジョブの中から、再印刷を行うジョブを選択する。
【００３０】
印刷処理制御部２０５は、印刷ジョブを出力するための制御を行う。印刷キャンセル・再印刷制御部２０６は、印刷ジョブのキャンセル、または、再印刷の制御を行う。キャンセル済み印刷処理データ２０７は、印刷キャンセル・再印刷制御部２０６での印刷ジョブのキャンセル、または、再印刷時を行うためのデータを蓄積する。
【００３１】
上記構成を有する印刷制御システムの動作を示す。
【００３２】
図３は印刷制御装置の印刷ジョブキャンセル時の処理手順を示すフローチャートである。ホストコンピュータ２０００と入出力装置（例えば、プリンタ装置２５００）との接続が設定されている環境において、ユーザがホストコンピュータ２０００から印刷ジョブキャンセルコマンドを送信し、プリンタ２５００が受信した時のフローである。印刷ジョブのキャンセルパケットか判定を行う。（ステップＳ３０１）パケットが、印刷ジョブのキャンセルパケットの場合は、印刷ジョブのキャンセルを行う。（ステップＳ３０２）続いて、印刷済みページをキャンセル済み印刷処理データ２０７のキャンセルジョブリストに保存する。（ステップＳ３０３）続いて、印刷情報および、識別情報をキャンセル済み印刷処理データ２０７のキャンセルジョブリストに保存する。（ステップＳ３０４）
図４は、ユーザがホストコンピュータ２０００から、キャンセル済みの印刷ジョブの再印刷するフローの例である。ホストコンピュータ２０００からキャンセルジョブリストの取得要求（ステップＳ４０１）を行うと、プリンタ２５００では、キャンセルジョブリストの送信（ステップＳ４０２）を行う。続いて、ホストコンピュータ２０００では、キャンセルジョブ表示部２０１において、キャンセルジョブリストの表示（ステップＳ４０３）をおこなう。続いて、キャンセルジョブ選択部２０２で、印刷を行うキャンセルジョブの択を行い、（ステップＳ４０４選択された印刷ジョブを、全ページ印刷するか、印刷済みのページは再印刷をしないか、ユーザに選択させる。（ステップＳ４０５）全ページ印刷しない場合は、印刷済みページを印刷しない再印刷コマンドを作成（ステップＳ４０６）し、全ページ印刷する場合は、印刷済みページを印刷する。
【００３３】
再印刷コマンドを作成（ステップＳ４０７）する。続いて、キャンセルジョブの印刷コマンド送信を行う。（ステップＳ４０８）
プリンタ２５００では、キャンセルジョブの印刷コマンドを受信し、全ページ印刷行うか判定を行い（ステップＳ４０９）、全ページ印刷しない場合は、選択されたキャンセルジョブの印刷されていないページを印刷し（ステップＳ４１０）、選択されたキャンセルジョブの全ページを印刷する場合は、全ページ印刷を行う。（ステップＳ４１１）
図５は、キャンセル済み印刷処理データ２０７に登録された、ジョブID５０１、および、印刷情報ファイル５０２、印刷ジョブの印刷済みページ５０３の登録内容を示している。
【００３４】
ホストコンピュータ２０００の、キャンセルジョブ表示部２０１では、図５のデータを表示することにより、キャンセルジョブ選択部２０２で、ユーザの所望する印刷ジョブを選択することが可能である。
【００３５】
以上のステップによりキャンセルされた印刷ジョブの再印刷が可能となる。
【００３６】
また、印刷キャンセル・再印刷制御部２０６では、印刷ジョブの印刷済みページ５０３を参照することにより、既に印刷済みのページ以降を再印刷する事ができる。
【００３７】
［第２の実施の形態］
本実施例は、請求項１、２、３の一部の実施例を説明する。
【００３８】
第１の実施の形態では、キャンセルジョブの再印刷方法について説明した。本実施の形態では、キャンセルジョブの再印刷時に、キャンセルジョブリストの表示を、アクセス権を持ったユーザのみ可能にする場合について説明する。
【００３９】
図６は、本実施の形態に関わるキャンセルジョブリスト取得要求のアクセス権確認の処理手順を示すフローチャートである。
【００４０】
第１の実施の形態と同様の処理の説明は省略する。
【００４１】
ステップＳ６０１において、ホストコンピュータのキャンセルジョブ制御部２００でユーザのIDとパスワードを取得する。この時、キャンセルジョブ制御部２００は、ダイアログを表示してユーザにユーザのIDとパスワードの入力を要求することや、ログイン中のユーザのアクセス権を利用するなどの方法がある。キャンセルジョブリストの取得要求（ステップＳ４０１）では、ステップＳ６０１で取得した、ユーザのIDとパスワードを要求に付加して、プリンタ２０００に送信する。
【００４２】
ステップＳ６０２において、プリンタ2000の印刷キャンセル・再印刷制御部は、キャンセルジョブリストの取得要求に付加されている、ユーザのIDとパスワードが正しいか確認し、正しい場合は、キャンセルジョブリストの送信（ステップＳ４０２）に進む。
【００４３】
ユーザのIDとパスワードが誤っている場合は、ホストコンピュータにキャンセルジョブリストの取得要求失敗通知（ステップＳ６０３）を行う。
【００４４】
これらのステップにより、キャンセルジョブリストの表示権限がないユーザに、キャンセルジョブリストの表示をしないことが可能である。
【００４５】
［第３の実施の形態］
本実施例は、請求項１、２、４の一部の実施例を説明する。
【００４６】
第２の実施の形態では、キャンセルジョブの再印刷方法に関わる、キャンセルジョブリスト取得要求のアクセス権確認方法について説明した。本実施の形態では、キャンセルジョブの再印刷時に、キャンセルジョブの印刷を、アクセス権を持ったユーザのみ可能にする場合について説明する。
【００４７】
図７は、本実施の形態に関わるキャンセルジョブの印刷要求のアクセス権確認の処理手順を示すフローチャートである。
【００４８】
第１の実施の形態と同様の処理の説明は省略する。
【００４９】
ステップＳ７０１において、ホストコンピュータのキャンセルジョブ制御部２００でユーザのIDとパスワードを取得する。この時、キャンセルジョブ制御部２００は、ダイアログを表示してユーザにユーザのIDとパスワードの入力を要求することや、ログイン中のユーザのアクセス権を利用するなどの方法がある。キャンセルジョブの印刷要求（ステップＳ４０８）では、ステップＳ７０１で取得した、ユーザのIDとパスワードを要求に付加して、プリンタ２０００に送信する。
【００５０】
ステップＳ７０２において、プリンタ2000の印刷キャンセル・再印刷制御部は、キャンセルジョブの印刷要求に付加されている、ユーザのIDとパスワードが正しいか確認し、正しい場合は、キャンセルジョブ印刷処理（ステップＳ４０９）に進む。
【００５１】
ユーザのIDとパスワードが誤っている場合は、ホストコンピュータにキャンセルジョブの印刷失敗通知（ステップＳ７０３）を行う。
【００５２】
これらのステップにより、キャンセルジョブの印刷権限がないユーザに、キャンセルジョブの印刷をしないことが可能である。
【図面の簡単な説明】
【００５３】
【図１】本発明の一実施例を示す印刷制御装置の構成を説明するブロック図である。
【図２】プリンタが接続されたホストコンピュータの典型的なプリントシステムの構成を示すブロック図である。
【図３】本発明の一実施例を示すフローチャートである。
【図４】本発明の一実施例を示すフローチャートである。
【図５】本発明の一実施例である、キャンセル済み印刷処理データの登録例を示す図である。
【図６】本発明の二実施例を示すフローチャートである。
【図７】本発明の三実施例を示すフローチャートである。
【図１】
2006350803.tif 000003
【図２】
2006350803.tif 000004
【図３】
2006350803.tif 000005
【図４】
2006350803.tif 000006
【図５】
2006350803.tif 000007
【図６】
2006350803.tif 000008
【図７】
2006350803.tif 000009